(57)【特許請求の範囲】
【請求項１】
前面左右端部に、ラック内に立設されたマウント枠への接続を可能とする接続部を有し、底板、左右側板及び背板を有して成る収納箱と、該収納箱前面に装着したケーブルを保持するケーブル保持具とから成り、
前記収納箱内に、当該収納箱内を仕切るための仕切板が設けられているとともに、前記底板に、前記仕切板を起立保持するための保持溝が複数設けられていることを特徴とするケーブル収納ユニット。
【請求項２】
収納箱前面に装着板を設けて、ケーブル保持具を前記装着板に装着固定すると共に、装着板に開口部を設けて収納箱前方と収納箱内との間でケーブルの入出を可能とする請求項１記載のケーブル収納ユニット。
【請求項３】
収納箱背部にケーブル保持具が装着されて成る請求項１又は２記載のケーブル収納ユニット。
【発明の詳細な説明】
【０００１】
【発明の属する技術分野】
本発明は、ラック内に設置するケーブル収納ユニットに関する。
【０００２】
【従来の技術】
例えばＬＡＮ用機器を収納するラックでは、多数のケーブルが引き込まれるため、それらのケーブルを整理したり収納するケーブル収納形態として、図６や図７に示すようなケーブル保持具が設けられている。図６に示すケーブル保持具は、樹脂被覆された金属製帯体を略コ字状に折曲げ形成して前面にケーブルの収納／取出し操作をするためのフック状の開放部を設けたケーブルフック２ｃであり、ラック内左右に立設されているマウントアングル２０，２０間に渡して配置されるパネル２１に複数装着され、ケーブルを保持可能としている。
【０００３】
また、図７に示すケーブル保持具は、図６と同様にマウントアングル２０，２０間にパネル２１を配置して、その前面に装着してなる断面四角形のケーブルダクト２ｂであり、このケーブルダクト２ｂは、断面コ字状の本体２２と蓋板２３とから成り、ケーブルの収納は蓋板２３を外して行い、収納後は施蓋される。
【０００４】
【発明が解決しようとする課題】
しかし、上記ケーブルフック２ｃやケーブルダクト２ｂはラックのマウントアングル２０間に渡されたパネル２１の前面に取り付けられるため、取り付けたパネル２１後方のラックスペースを有効に利用してはいなかったし、ラック内の配線ケーブルを収納することはできるが、ケーブルの余長分まで収納したり、系統別に整理することはできなかった。
そこで、本発明は上記問題点に鑑み、ラック内スペースを有効に利用でき、且つ余長分まで無理なく収納できるケーブル収納ユニットを提供することを課題とする。
【０００５】
【課題を解決するための手段】
上記課題を解決するため、請求項１の発明は、前面左右端部に、ラック内に立設されたマウント枠への接続を可能とする接続部を有し、底板、左右側板及び背板を有して成る収納箱と、該収納箱前面に装着したケーブルを保持するケーブル保持具とから成り、前記収納箱内に、当該収納箱内を仕切るための仕切板が設けられているとともに、前記底板に、前記仕切板を起立保持するための保持溝が複数設けられていることを特徴とする。
【０００６】
請求項２の発明は、請求項１の発明において、収納箱前面に装着板を設けて、ケーブル保持具を前記装着板に装着固定すると共に、装着板に開口部を設けて収納箱前方と収納箱内との間でケーブルの入出を可能とすることを特徴とする。
また、請求項３の発明は、請求項１又は２の発明において、収納箱背部にケーブル保持具が装着されて成ることを特徴とする。
【０００７】
【発明の実施の形態】
以下、本発明を具体化した実施の形態を、図面に基づいて詳細に説明する。図１は本発明に係るケーブル収納ユニットの一例を示す斜視図であり、収納箱１とその前面に設けたケーブル保持具２で構成されている。
【０００８】
収納箱１は、四角形の底板４の左右側辺に２枚の側板５，５を立設し、正面に装着板である正面板６、背部に背板７を立設して形成され、上部は開放されている。そして、側板５，５の正面板６側の端部は側板５，５を延長形成して折曲げ形成した接続部８が設けられている。接続部８は収納箱１の正面板６と面一に形成され、ラック内左右に設けられているマウントアングル（図示せず）に装着するネジ挿通孔８ａが設けられている。
尚、この実施形態では、マウントアングル接続部８を側板５に連続形成しているが、正面板６の左右端部を延長形成して設けても良い。また、側板５、正面板６、背板７はケーブル保持具２の高さと略等しい高さを有し、収納箱１は施蓋が可能となっている。
【０００９】
そして、その正面板６の前面に設けられているケーブル保持具２は金属棒を折曲げて形成した公知のケーブルホルダー２ａが等間隔で複数ネジ止め装着されて成り、正面板６前面全体でケーブルの保持を可能とし、収納箱前面のケーブルを整理可能としている。
更に、正面板６は大きな２つの入線孔１０、１０が設けられ、収納箱１前方と収納箱内との間のケーブルの挿通が可能となっている。また、背板７にも同様の入線孔１１，１１が設けられ、後方から収納箱内へのケーブルの挿通を可能としている。
【００１０】
このように、マウント枠の一つであるマウントアングルに装着した収納箱の前面に開口部である入線孔を有する正面板を設けてケーブル保持具を装着することで、収納箱前面であるラック内前面のケーブルを整理できる。また、ケーブル保持具後方に広がる収納箱に前方からケーブルの収納を容易に行えるし、余長分まで無理なく収納でき、ラック内スペースを有効に利用できる。そして、ケーブル余長分を収納できるため、余裕を持たせて配線でき、将来発生する機器の移動や配線とり回しの変更等容易に行うことが可能となる。
また、背板に入線孔を設けることで後方から収納箱内へのケーブルの収納を無理なく行うことができるし、収納箱の高さはケーブル保持具と略等しいので、従来のケーブルホルダ等を設けるスペースに容易に装着でき、既設のケーブル保持具に替えて容易に装着できる。
【００１１】
図２はケーブル保持具を他の構成に替えた例を示し、図１のケーブルホルダ２ａに代えて上記図７に示す公知のケーブルダクト２ｂを装着している。このように、ケーブル保持具は従来のものを使用でき、更に上記図６に示すケーブルフック２ｃとしても良い。
【００１２】
図３は本発明の他の形態を示し、図３（ａ）はケーブル収納ユニットの斜視図、図３（ｂ）は仕切板の斜視図、図３（ｃ）は仕切板の装着説明図である。上記実施の形態との相違点を説明すると、仕切板１３を収納箱１内に装着可能として、収納箱を区分けできるようにしている。底板４には前後方向に伸びたスリット状の長孔１４が複数整列形成され、仕切板１３には長孔１４の前後間隔に合わせて舌片１５を下部に設け、図３（ｃ）に示すように舌片１５を長孔１４に挿入して係止し、仕切板１３を起立保持可能としている。尚、上記実施の形態と同一の構成要素には同一の符号を付してある。
【００１３】
このように、底板に保持溝としての長孔を設け、仕切板を装着して収納箱内を区分け可能とすることで、収納したケーブルを系統立てて整理することができる。また、長孔を複数形成することで、仕切板の位置を任意に変更できるので効果的に区分けできるし、複数の仕切板を装着できるので区分け数も任意に設定できる。更に、長孔を複数設けることで収納箱の軽量化にも効果を有する。
尚上記実施の形態では仕切板を前後方向に配置するよう形成されているが、例えば長孔を横方向に形成して横方向に配置可能としても良いし、双方の方向とも可能に形成してもよい。
【００１４】
図４、図５は本発明の更に他の形態を示し、何れもケーブル収納ユニットの後部の斜視図を示している。図示するように、前面の正面板に加えて後部の背板７にもケーブル保持具であるケーブルホルダ２ａ或いはケーブルダクト２ｂを設けている。尚、上記実施の形態と同一の構成要素には同一の符号を付してある。
このように、収納箱背部にもケーブル保持具を設けることで、ラック後部のケーブルも保持整理できる。
【００１５】
尚、上記実施の形態は何れも、板状の正面板を装着板としてケーブル保持具を装着すると共に入線孔を設けているが、装着板はケーブルの入線が可能で且つケーブル保持具を装着固定可能であれば良く、正面板を設けずに例えば収納箱前面の必要部位のみ舌状の装着板を立設してケーブル保持具を装着しても良い。また、ケーブル保持具を収納箱の前面と背部に設けた構成を示したが、側部に設けても良い。また、底板にケーブル挿通用の開口部を設けて、下方から直接ケーブルの入出を可能としても良い。
【００１６】
【発明の効果】
以上詳述したように、請求項１の発明によれば、ケーブル保持具によりラック前面のケーブルを整理できるし、ケーブル保持具背部に収納箱を設けてケーブルを収納するので、余長分まで無理なく収納でき、ラック内スペースを有効に利用できる。また、ケーブル余長分を収納できるため、余裕を持たせて配線でき、将来発生する機器の移動や配線とり回しの変更等、容易に行うことが可能となる。
また、収納箱内に、当該収納箱内を仕切るための仕切板を設けるとともに、底板に、仕切板を起立保持するための保持溝を複数設けているため、収納したケーブルを系統立てて整理することが可能となる。
【００１７】
請求項２の発明によれば、請求項１の効果に加えて、ラック前面のケーブルを容易に収納箱内に収納できる。
また、請求項３の発明によれば、請求項１又は２の効果に加えて、ラック後部のケーブルも整理できる。
【図面の簡単な説明】
【図１】  本発明に係るケーブル収納ユニットの実施形態の一例を示す斜視図である。
【図２】  図１の変形例を示す斜視図である。
【図３】  本発明の他の実施形態を示す斜視図である。
【図４】  本発明の更に他の実施形態を示す後部斜視図である。
【図５】  図４の変形例を示す後部斜視図である。
【図６】  従来のケーブル収納形態を示すケーブルホルダの斜視図である。
【図７】  従来の他のケーブル収納形態を示すケーブルダクトの斜視図である。
【符号の説明】
１・・収納箱、２・・ケーブル保持具、２ａ・・ケーブルホルダ、２ｂ・・ケーブルダクト、２ｃ・・ケーブルフック、４・・底板、５・・側板、６・・正面板（装着板）、７・・背板、８・・接続部、１０，１１・・入線孔、１３・・仕切板、１４・・長孔、１５・・舌片。
【図１】
0004021640.tif 000002
【図２】
0004021640.tif 000003
【図３】
0004021640.tif 000004
【図４】
0004021640.tif 000005
【図５】
0004021640.tif 000006
【図６】
0004021640.tif 000007
【図７】
0004021640.tif 000008